(57)【要約】
【目的】  本考案の目的は、外気と人体の皮膚の密着する場合、両者の温度差で皮膚表面に結露が生じる。この不快と不衛生な現象を防止する為に、外気と皮膚とが接する衣料や座席やシート、座蒲団等の間に流通可能な空気帯を配して、そこに空気を流通させ、換気を行うことで結露を防止するファッションである。
靴の下敷に用いれば、足裏はクッションと線圧の刺激による２つの快適さもあり、結露の外にもメリットがある。
車のシートや家庭内のソファーや椅子に用いれば、快適プラス省エネとなり、防寒やコート、雨合羽などの内側に装着すれば、結露なしで、作業やスポーツが楽しく出来る。
【構成】  軟質パイプを並列に配して、これを編組して形成、構成する。パイプ内の空気は、体重や身体の移動や温度の上昇、即ち体温等でパイプ内の空気が温まると、自然と空気が軟くなり上昇や移動するので、絶えずパイプ内の温度は一定の温度を保持する。こうした構造の為、結露しないのである。
利用場所、着用の場所、用途等により、パイプの種類や太さ、厚み等々を変更することで活用範囲は増大する。
【選択図】  図１
0003101085.tif 000002
【実用新案登録請求の範囲】
【請求項１】
囲った空気を自然又は自由に流通さす構造を有し、身体に直接又は間接に装着し、外気温と体温差に依り生ずる表皮面の結露等を防止し、快適さと安全衛生、更に省資源等のマルチ効果を発揮するエコ指向の空気フアッション。
【考案の詳細な説明】
【考案の詳細な説明】
（イ）考案の属する技術分野
自動車の椅子、ベッド、ソファー、帽子、靴や履物、外衣や雨合羽、更には靴の下敷き等々、属する分野は多岐多様である。先ず、自動車の椅子、即ちシートであるが、腰をおろすと身体との間に空気が通わない。身体の胸や腹は、冷房時なら冷気が接して冷しいが、背中から胴、大腿などの後半分が冷されず、体温が発散されず熱い。
この様な時、シートや背もたれと身体の中間に冷気が通過する様にすれば、身体全周に冷気が廻り冷しい。従って、車内のエアコンの温度設定も、そう低くせずとも冷しく感じる。ひいては省エネへと連なるのである。家庭内に於けるソフアーや椅子も同様である。
又、履物のぞうりやわらじを造れば、夏のアスファルトや砂浜を歩いても、外壁と足裏の中間に空気が流通するので、熱が身体に伝わらず快適である。靴の下敷に用いれば、歩く度に空気が流通し、中がむれる事もなく衛生的で、快適である。
特に、スポーツ等で足を酷使する場合、熱くならず寒くもならず快適に長時間のプレーが楽しめる。夏や冬期ばかりでなく雨天時の雨具としてのゴム合羽等は、短時間でも結露してしうが、本考案品を用いると結露が防止出来る。
以上の様に、体温のある身体と外気との間に空気を流通させるのだから、結露現象が生ぜず、身体全体が、快適で衛生的になり、楽しく暮すことが出来る。
（ロ）  従来の技術
椅子の背の部分に藤製品を置いたり、メッシュ状の吸水性の劣る素材を用いたりして、夏の暑さをしのいで来た。冬期には、靴の下敷を敷いたりし、一枚のプラス断熱材を用いて結露をしのいで来た。これらは、簿い気体を一枚敷いた程度のものにすぎず、とうてい、完全に結露を防げないのであった。
自動車内では、カーエアコンのお陰で思いのまゝの気温のセツトが出来て、無い時代に比較すると、それは雲泥の差がある。
しかし、残念乍ら、後方の背中から胴、胴から臀部、大腿にかけての後半分の身体には冷気が行き届かず、汗でぬれて、不快となる。
雨や雪の降る場合、ゴム合羽等で雨や雪をしのいでいるが、短時間なら結露もしないが、１時間以上も着ているとぬれてくる。いわゆる結露するのである。最近は、一枚のメッシュ地の布をプラスするなどして、予防を一応はしているが、空気の流通とか断熱材でない為、間もなく結露を生じてしまう。
以上の様に、従来の技術は、空気帯とか、空気の流通がない為間もなく結露するのが実情である。
（ハ）  考案が解決しようとする課題
冬期に例をとると、外気と体温の差は大きい。通常の場合外は０度前後であるのに対し、体温は３６度前後だから、雪上で１時間位靴をはいていると、結露し、靴下が濡れて足裏がつめたくなる。靴の底敷や、厚い布地の靴下をはけば、いくらかわ結露は緩和されるが、それも時間的な緩和にすぎず、長時間の間には、結局冷たく成って、不快や、苦痛を強いられることに成る。
家居では、２重サッシの出現、即ちガラスとガラスの間に空気が流通する構造の出現で、結露は完全に防止出来る様になった。これと同様に、足の底にも靴と足裏との間に空気を流通させる様にする事で、結露は防止出来る。
靴だけでなく、降雨、降雪時の作業や、スポーツ、レジャー時の外衣等に用いれば、長時間の作業やスポーツにも結露が生ぜず快適で、健康な生活が出来る。
かくして、身体の表皮全体から足の裏迄の快適さを実現し、楽しい暮しに役立つのが本考案である。快適さと衛生、健康ばかりでなく、家庭内の椅子やソファー等、又、自動車のシート等に用いれば、省エネが計れて、エコ製品となる。
（ニ）  課題を解決しようとする手段
家居では、ガラス窓を二重サッシとすることや、壁を２重にして、そこに空気を流通出来る様にし、外気と内部の温度差を少くする事で結露が防止出来る。身体の足裏や背中等の場合の冷暖房時の空気の流通は、６ミリメートルから１５ミリメートル位の軟質系パイプを並列にし、それを編組して用いればよい。従来はパイプ系で、麦藁帽子というのがあり、夏期の暑い太陽をこれで防いだものである。麦藁は中が中空で、軽くて空気が流通する為、断熱材としては最適の材料であった。
今日、麦藁は無いが、いろんな軽量のパイプ材、例へばストローの材料とか、シリコーンのパイプとかがある。この様な材料を用途や場所を考えて用いれば、本考案の課題も解決してくれるのである。
（ホ）  考案の実施の形態
皮膚と外気との間にパイプ材を配し、そこに流通可能の空気帯を配して、結露を防止するのである。夏の暑い昼時、のどがかわいた。冷たい水がほしいので、ガラスコップに冷した麦茶を入れた時、瞬時にして、コップの周囲に水滴が出来る。
科学的に考察してみると、冷たい麦茶は５度前後の温度で、外気温は３５度前後であるから、その差は３０度で大きい。
即ち、３０度の差があると、瞬時に結露する事が判る。冬期の靴の場合も、外が雪ならば外気温は０度、体温は３６度だからこれまた、その差は３６度である。冬期に足裏に結露するのは当然である事が判る。
皮膚と外気との間に流通可能の空気帯を配して、直接に外気がふれない様にする事で、結露は防止出来るのである。
（ヘ）  実施例
図１が示す通り、パイプを並列に配して、靴の形状に合せた寸法に形成し編組して用いる。これを靴の下敷とすることで、外気と皮膚との間に空気層が生れ、歩行の度に、空気が流通することで結露が防止出来るゆえんである。
図２は自動車のシートの場合の空気層の形成例である。
（ト）  考案の効果
靴の下敷として利用すれば、足裏に結露がない為、気分爽快で、楽しく暮せる。又、水虫などの皮膚病にかかりにくいし、衛生的で、特に夏や冬の温度差の大なる時に、その効果は大である。最近は特にスポーツが盛んなので、それに用いれば、足もトラブルなしで、楽しくプレーが出来る。
自動車のシートや、家居での椅子やソファー、座ぶとん等に用いれば省エネに連なり、ひいてはエコ製品に成る。
空気が主材の為、クッションも良い為、三拍子揃いの製品といえる。
【図面の簡単な説明】
【図１】図１は靴の下敷向の見取図である。
【図２】図２は座席のシート向の見取図である。
【図３】図３は草鞋風履物の見取図である。
【符号の説明】
（１）空気流通用軟質材パイプ
（２）パイプ連結用糸
（３）空気
（４）パイプ並列維持プレート
（５）連結板
（６）ゴムひも
（７）ピクス  ボタンファスナー
【図１】
0003101085.tif 000003
【図２】
0003101085.tif 000004
【図３】
0003101085.tif 000005
【手続補正書】
【提出日】平成15年11月4日(2003.11.4)
【手続補正１】
【補正対象書類名】実用新案登録請求の範囲
【補正対象項目名】全文
【補正方法】変更
【補正の内容】
【実用新案登録請求の範囲】
【請求項１】
空気が存在し、かつ流通が可能な円又は多角形の断面の軟質パイプを並列に配して組合せ、あるいわ結合した形状と構造から成り、それを身体の表皮面や他の物体に装着して、保温や断熱、結露防止等の快適さを計ると共に安全、衛生、省労働力等々のマルチ効果を発輝するパイプ並列組合せ物体に係る。